(57)【要約】【課題】個々に独立している情報記憶素子の識別情報を同時に書き換えることができる情報記憶素子を備えたテープ及びテープを有するケーブルを提供する。【解決手段】物品を識別するための識別情報が外部から非接触で読み書きされるとともにテープ長手方向に沿って所定間隔毎に配置された複数個の情報記憶素子部１０ａ〜１０ｄと、この複数個の情報記憶素子部１０ａ〜１０ｄと電気的に絶縁され且つ対向して配置され、導電体により閉ループが形成された閉ループ回路２０とを有する。【選択図】図１
2006065473.tif 000002
【特許請求の範囲】
【請求項１】
物品を識別するための識別情報が外部から非接触で読み書きされるとともにテープ長手方向に沿って所定間隔毎に配置された複数個の情報記憶素子部と、この複数個の情報記憶素子部と電気的に絶縁され且つ対向して配置され、導電体により閉ループが形成された閉ループ回路とを有することを特徴とするテープ。
【請求項２】
前記複数個の情報記憶素子部の各々は、前記識別情報を記憶したメモリと、前記メモリを取り囲むように配置された所定ターン数のアンテナコイルとを有することを特徴とする請求項１記載のテープ。
【請求項３】
前記閉ループ回路は、前記アンテナコイルの所定ターン数と略同ターン数の複数個のコイルを有し、各コイルは、各情報記憶素子部と１対１で対向して配置されることを特徴とする請求項２記載のテープ。
【請求項４】
前記閉ループ回路は、前記アンテナコイルの所定ターン数と略同ターン数の複数個の閉ループコイルを有し、各閉ループコイルは、隣接する２つの情報記憶素子部相互間を連結するように配置されることを特徴とする請求項２記載のテープ。
【請求項５】
前記閉ループ回路は、複数個の第１閉ループ回路と、この複数個の第１閉ループ回路と電気的に絶縁され、隣接する２つの第１閉ループ回路相互間を連結するように配置された１個以上の第２閉ループ回路とを有し、各々の第１閉ループ回路は、前記アンテナコイルの所定ターン数と略同ターン数の複数個のコイルを有し、各コイルは、各情報記憶素子部と１対１で対向して配置され、各々の第２閉ループ回路は、前記アンテナコイルの所定ターン数と略同ターン数の閉ループコイルを有することを特徴とする請求項２記載のテープ。
【請求項６】
前記メモリ及びアンテナコイルは、第１絶縁層の表面に配置され、前記アンテナコイルの一端は、前記メモリの一端に接続され、前記アンテナコイルの他端は、前記第１絶縁層の裏面を通して前記メモリの他端に接続され、前記第１絶縁層の表面上の前記メモリ及びアンテナコイルは、第１絶縁フィルムで覆われ、前記第１絶縁層の裏面上の前記アンテナコイルは、第２絶縁フィルムで覆われていることを特徴とする請求項２乃至請求項５のいずれか１項記載のテープ。
【請求項７】
前記メモリ及びアンテナコイルは、第１絶縁層の表面に配置され、前記アンテナコイルの一端は、前記メモリの一端に接続され、前記アンテナコイルの他端は、前記アンテナコイル上に形成された第１絶縁体上を通して前記メモリの他端に接続され、前記第１絶縁層の表面上の前記メモリ及びアンテナコイルは、第１絶縁フィルムで覆われていることを特徴とする請求項２乃至請求項５のいずれか１項記載のテープ。
【請求項８】
前記閉ループ回路の各コイルは、第２絶縁層の表面に配置され、隣接する２つのコイルを前記第２絶縁層の裏面を通して接続する接続構成と前記隣接する２つのコイルを前記第２絶縁層の表面で接続する接続構成とを有し、前記第２絶縁層の表面上の各コイルは、第３絶縁フィルムで覆われ、前記第２絶縁層の裏面上の各コイルは、第４絶縁フィルムで覆われていることを特徴とする請求項３記載のテープ。
【請求項９】
前記閉ループ回路の各コイルは、第２絶縁層の表面に配置され、隣接する２つのコイルを前記コイル上に形成された第２絶縁体上を通して接続する接続構成と前記隣接する２つのコイルを前記第２絶縁層の表面上で接続する接続構成とを有し、前記第２絶縁層の表面上の各コイルは、第３絶縁フィルムで覆われていることを特徴とする請求項３記載のテープ。
【請求項１０】
前記閉ループコイルは、第３絶縁層の表面に配置され、前記閉ループコイルの一端は、前記第３絶縁層の裏面を通して前記閉ループコイルの他端に接続され、前記第３絶縁層の表面上の閉ループコイルは、第５絶縁フィルムで覆われ、前記第３絶縁層の裏面上の閉ループコイルは、第６絶縁フィルムで覆われていることを特徴とする請求項４記載のテープ。
【請求項１１】
前記閉ループコイルは、第３絶縁層の表面に配置され、前記閉ループコイルの一端は、前記閉ループコイル上に形成された第３絶縁体上を通して前記閉ループコイルの他端に接続され、前記第３絶縁層の表面上の閉ループコイルは、第５絶縁フィルムで覆われていることを特徴とする請求項４記載のテープ。
【請求項１２】
自己を識別するための識別情報が外部から非接触で読み書きされるとともにテープ長手方向に沿って所定間隔毎に配置された複数個の情報記憶素子部及びこの複数個の情報記憶素子部と電気的に絶縁され且つ対向して配置され、導電体により閉ループが形成された閉ループ回路を有するテープを、ケーブル長手方向に沿って配設したことを特徴とするケーブル。
【請求項１３】
導体と、この導体の外側に施された絶縁体と、この絶縁体の外側に施されたシースとを有し、前記テープは、前記絶縁体上に設けられることを特徴とする請求項１２記載のケーブル。
【請求項１４】
前記テープは、前記ケーブル長手方向に沿って螺旋状に巻回されてなる押え巻きであることを特徴とする請求項１３記載のケーブル。
【発明の詳細な説明】
【技術分野】
【０００１】
本発明は、物品を識別するための識別情報を記憶した情報記憶素子（ＩＣタグ）を有するテープ及びこのテープを有するケーブルに関し、特に、物流管理や物品管理に使用されている情報記憶素子の改良に関する。
【背景技術】
【０００２】
個々の物品を識別するための識別情報を記憶した情報記憶素子を個々の物品に付けて、例えば衣類の入庫管理等の物流管理や、図書館の本の貸借管理等の物品管理を行なっている。
【０００３】
このような情報記憶素子に対する識別情報の書き込み／読み出しを行なうには、リーダ／ライターを情報記憶素子に近接させ、リーダ／ライターと情報記憶素子とで非接触で通信を行なう。このため、リーダ／ライターを所持する者は、情報記憶素子の近傍に移動しなければならず、作業性が悪かった。
【０００４】
そこで、連長体からなる物品には長手方向に沿って複数個の情報記憶素子を配置したり、多面体からなる物品には各々の面に情報記憶素子を付加している。そして、リーダ／ライターを所持する者は、最も近い情報記憶素子の所に行って、情報記憶素子に対する識別情報の書き込み／読み出しを行なっていた。
【０００５】
また、前述した従来の技術に関連して、例えば特許文献１が知られている。特許文献１のケーブル被覆材は、内部にケーブル収納空間を有する絶縁チューブに、所定の第１周波数の電波に共振し、所定の第２周波数の電波を発する共振部材をケーブル収納空間の長手方向に沿って連続的に設け、ケーブル収納管に、名前情報を記録し得る情報素子を、ケーブル収納管外部から非接触で読み出し自在な形で設ける。
【０００６】
このケーブル被覆材によれば、電波をケーブル収納空間の長手方向に沿って連続的に当てることにより、隠れた場所に配線されたケーブルの配線場所、及びケーブルの損傷の検出、並びに複数のケーブルの識別を容易に行なえる。
【特許文献１】特開平７−２１１１５８号公報（図１）
【発明の開示】
【発明が解決しようとする課題】
【０００７】
しかしながら、物品に複数の情報記憶素子を付加した場合にあっては、情報記憶素子が個々に独立しているため、情報記憶素子の識別情報を書き換える際に、いちいち個々の情報記憶素子の所まで行って、識別情報を書き換えていた。即ち、全ての識別情報を同時に書き換えることはできなかった。また、隠れた場所に設置されたケーブル等の物品に付加された情報記憶素子は書き換えることができなかった。
【０００８】
また、特許文献１のケーブル被覆材にあっては、磁性体及びアモルファスからなる共振部材をケーブル長手方向に沿って連続的に設けているため、ケーブルが高価なものになっていた。また、共振部材を用いて、情報を同時に書き換える旨の記載もない。
【０００９】
本発明は、上述した問題を解消するためになされたものであり、その課題は、個々に独立している情報記憶素子の識別情報を同時に書き換えることができる情報記憶素子を備えたテープ及びテープを有するケーブルを提供することにある。
【課題を解決するための手段】
【００１０】
上記課題を達成するために、請求項１の発明のテープは、物品を識別するための識別情報が外部から非接触で読み書きされるとともにテープ長手方向に沿って所定間隔毎に配置された複数個の情報記憶素子部と、この複数個の情報記憶素子部と電気的に絶縁され且つ対向して配置され、導電体により閉ループが形成された閉ループ回路とを有することを特徴とする。
【００１１】
請求項２の発明は、請求項１記載のテープにおいて、前記複数個の情報記憶素子部の各々は、前記識別情報を記憶したメモリを有するＩＣチップと、前記ＩＣチップを取り囲むように配置された所定ターン数のアンテナコイルとを有することを特徴とする。
【００１２】
請求項３の発明は、請求項２記載のテープにおいて、前記閉ループ回路は、前記アンテナコイルの所定ターン数と略同ターン数の複数個のコイルを有し、各コイルは、各情報記憶素子部と１対１で対向して配置されることを特徴とする。
【００１３】
請求項４の発明は、請求項２記載のテープにおいて、前記閉ループ回路は、前記アンテナコイルの所定ターン数と略同ターン数の複数個の閉ループコイルを有し、各閉ループコイルは、隣接する２つの情報記憶素子部相互間を連結するように配置されることを特徴とする。
【００１４】
請求項５の発明は、請求項２記載のテープにおいて、前記閉ループ回路は、複数個の第１閉ループ回路と、この複数個の第１閉ループ回路と電気的に絶縁され、隣接する２つの第１閉ループ回路相互間を連結するように配置された１個以上の第２閉ループ回路とを有し、各々の第１閉ループ回路は、前記アンテナコイルの所定ターン数と略同ターン数の複数個のコイルを有し、各コイルは、各情報記憶素子部と１対１で対向して配置され、各々の第２閉ループ回路は、前記アンテナコイルの所定ターン数と略同ターン数の閉ループコイルを有することを特徴とする。
【００１５】
請求項６の発明は、請求項２乃至請求項５のいずれか１項記載のテープにおいて、前記メモリ及びアンテナコイルは、第１絶縁層の表面に配置され、前記アンテナコイルの一端は、前記メモリの一端に接続され、前記アンテナコイルの他端は、前記第１絶縁層の裏面を通して前記メモリの他端に接続され、前記第１絶縁層の表面上の前記メモリ及びアンテナコイルは、第１絶縁フィルムで覆われ、前記第１絶縁層の裏面上の前記アンテナコイルは、第２絶縁フィルムで覆われていることを特徴とする。
【００１６】
請求項７の発明は、請求項２乃至請求項５のいずれか１項記載のテープにおいて、前記メモリ及びアンテナコイルは、第１絶縁層の表面に配置され、前記アンテナコイルの一端は、前記メモリの一端に接続され、前記アンテナコイルの他端は、前記アンテナコイル上に形成された第１絶縁体上を通して前記メモリの他端に接続され、前記第１絶縁層の表面上の前記メモリ及びアンテナコイルは、第１絶縁フィルムで覆われていることを特徴とする。
【００１７】
請求項８の発明は、請求項３記載のテープにおいて、前記閉ループ回路の各コイルは、第２絶縁層の表面に配置され、隣接する２つのコイルを前記第２絶縁層の裏面を通して接続する接続構成と前記隣接する２つのコイルを前記第２絶縁層の表面で接続する接続構成とを有し、前記第２絶縁層の表面上の各コイルは、第３絶縁フィルムで覆われ、前記第２絶縁層の裏面上の各コイルは、第４絶縁フィルムで覆われていることを特徴とする。
【００１８】
請求項９の発明は、請求項３記載のテープにおいて、前記閉ループ回路の各コイルは、第２絶縁層の表面に配置され、隣接する２つのコイルを前記コイル上に形成された第２絶縁体上を通して接続する接続構成と前記隣接する２つのコイルを前記第２絶縁層の表面上で接続する接続構成とを有し、前記第２絶縁層の表面上の各コイルは、第３絶縁フィルムで覆われていることを特徴とする。
【００１９】
請求項１０の発明は、請求項４記載のテープにおいて、前記閉ループコイルは、第３絶縁層の表面に配置され、前記閉ループコイルの一端は、前記第３絶縁層の裏面を通して前記閉ループコイルの他端に接続され、前記第３絶縁層の表面上の閉ループコイルは、第５絶縁フィルムで覆われ、前記第３絶縁層の裏面上の閉ループコイルは、第６絶縁フィルムで覆われていることを特徴とする。
【００２０】
請求項１１の発明は、請求項４記載のテープにおいて、前記閉ループコイルは、第３絶縁層の表面に配置され、前記閉ループコイルの一端は、前記閉ループコイル上に形成された第３絶縁体上を通して前記閉ループコイルの他端に接続され、前記第３絶縁層の表面上の閉ループコイルは、第５絶縁フィルムで覆われていることを特徴とする。
【００２１】
請求項１２の発明のケーブルは、自己を識別するための識別情報が外部から非接触で読み書きされるとともにテープ長手方向に沿って所定間隔毎に配置された複数個の情報記憶素子部及びこの複数個の情報記憶素子部と電気的に絶縁され且つ対向して配置され、導電体により閉ループが形成された閉ループ回路を有するテープを、ケーブル長手方向に沿って配設したことを特徴とする。
【００２２】
請求項１３の発明は、請求項１２記載のケーブルにおいて、導体と、この導体の外側に施された絶縁体と、この絶縁体の外側に施されたシースとを有し、前記テープは、前記絶縁体上に設けられることを特徴とする。
【００２３】
請求項１４の発明は、請求項１３記載のケーブルにおいて、前記テープは、前記ケーブル長手方向に沿って螺旋状に巻回されてなる押え巻きであることを特徴とする。
【発明の効果】
【００２４】
請求項１の発明のテープによれば、閉ループ回路を、複数の情報記憶素子部と電気的に絶縁し且つ対向して配置したので、外部からリーダ／ライター等で１個の情報記憶素子部に電力を供給して識別情報を書き換えると、リーダ／ライターから発生した電磁波は、１個の情報記憶素子部及び閉ループ回路を貫くため、閉ループ回路を介して電磁誘導により残りの全ての情報記憶素子部に電力が供給される。このため、１個の情報記憶素子部の識別情報を書き換えることにより、複数個の情報記憶素子部の識別情報を書き換えることができる。
【００２５】
請求項２の発明のテープによれば、メモリを取り囲むように配置された所定ターン数のアンテナコイルには、リーダ／ライターからの電磁波が貫くので、アンテナには電磁誘導により電流が流れて、メモリに電力が供給されて、その電力によりメモリの識別情報を書き換えることができる。
【００２６】
請求項３の発明のテープによれば、閉ループ回路の各コイルを介して電磁誘導により各情報記憶素子部に電力を供給することができる。
【００２７】
請求項４の発明のテープによれば、隣接する２つの情報記憶素子部相互間を連結するように配置された各々の閉ループコイルを介して電磁誘導により各情報記憶素子部に電力を供給することができる。
【００２８】
請求項５の発明のテープによれば、隣接する２つの第１閉ループ回路相互間を連結するように配置された各々の第２閉ループ回路を介して電磁誘導により各情報記憶素子部に電力を供給することができる。
【００２９】
請求項６の発明のテープによれば、第１絶縁層の表面上のメモリ及びアンテナコイルを第１絶縁フィルムで覆い、第１絶縁層の裏面上のアンテナコイルを第２絶縁フィルムで覆うことでメモリ及びアンテナコイルの腐食を防ぐことができる。
【００３０】
請求項７の発明のテープによれば、第１絶縁層の表面上のメモリ及びアンテナコイルを第１絶縁フィルムで覆うことでメモリ及びアンテナコイルの腐食を防ぐことができる。
【００３１】
請求項８の発明のテープによれば、第２絶縁層の表面上の各コイルを第３絶縁フィルムで覆い、第２絶縁層の裏面上の各コイルを第４絶縁フィルムで覆うことで閉ループ回路のコイルの腐食を防ぐことができる。
【００３２】
請求項９の発明のテープによれば、第２絶縁層の表面上の各コイルを第３絶縁フィルムで覆うことで閉ループ回路のコイルの腐食を防ぐことができる。
【００３３】
請求項１０の発明のテープによれば、第３絶縁層の表面上の閉ループコイルを第５絶縁フィルムで覆い、前３絶縁層の裏面上の閉ループコイルを第６絶縁フィルムで覆うことで閉ループコイルの腐食を防ぐことができる。
【００３４】
請求項１１の発明のテープによれば、第３絶縁層の表面上の閉ループコイルを第５絶縁フィルムで覆うことで閉ループコイルの腐食を防ぐことができる。
【００３５】
請求項１２の発明のケーブルによれば、複数の情報記憶素子部及び閉ループ回路を有するテープを、ケーブル長手方向に沿って配設したので、１個の情報記憶素子部の識別情報を書き換えることにより、複数個の情報記憶素子部の識別情報を書き換えることができるとともに、この識別情報によりケーブルを識別することができる。
【００３６】
請求項１３の発明のケーブルによれば、テープを絶縁体上に設けることで、外部から非接触でリーダ／ライター等で識別情報の書き込み／読み出しが容易に行なえる。
【００３７】
請求項１４の発明のケーブルによれば、テープをケーブル長手方向に沿って螺旋状に巻回されてなる押え巻きであるので、情報記憶素子部がケーブルの周方向のいずれの箇所にあっても容易に識別情報の書き込み／読み出しが容易に行なえる。
【発明を実施するための最良の形態】
【００３８】
以下、本発明の情報記憶素子を備えたテープ及びケーブルの実施の形態を図面を参照しながら詳細に説明する。
【実施例１】
【００３９】
図１は複数個の情報記憶素子部と１個の閉ループ回路とが配置された実施例１のテープを示す図である。図１（ａ）は複数個配置された情報記憶素子部の上面図である。図１（ｂ）は１個配置された閉ループ回路の上面図である。図１（ｃ）はテープの断面図である。図２は実施例１の情報記憶素子部及び閉ループ回路の斜視図である。
【００４０】
図１に示すテープ１は、複数個の情報記憶素子部１０（１０ａ〜１０ｄ）と、この複数個の情報記憶素子部１０（１０ａ〜１０ｄ）と電気的に絶縁され且つ対向して配置され、導電体により閉ループが形成された閉ループ回路２０とを有している。
【００４１】
各情報記憶素子部１０（１０ａ〜１０ｄ）は、図１（ａ）に示すように、テープ１の長手方向に沿って、略所定間隔毎に物品を識別するための識別情報を記憶し、相互に独立している。なお、情報記憶素子部１０は、５個以上配置されてもよい。情報記憶素子部１０には、物品の識別情報（品名、サイズ等）が記憶されており、情報記憶素子部１０毎に同一の識別情報が与えられている。なお、情報記憶素子部１０に記憶された情報は、非接触で外部のリーダ／ライター７から無線で伝達される。
【００４２】
各々の情報記憶素子部１０ａ〜１０ｄは、識別情報を記憶したメモリ（図示せず）を有する集積回路チップ（以下、ＩＣチップと称する。）１３と、このＩＣチップ１３を取り囲むように配置された３ターン（ターン数はその他でもよい）の矩形状の銅線からなるアンテナコイル１２と、このアンテナコイル１２とＩＣチップ１３とを接続したアンテナコイル１１と有する。
【００４３】
ＩＣチップ１３及びアンテナコイル１２は、絶縁層２ｂの表面に配置され、アンテナコイル１２の一端は、ＩＣチップ１３の一端に接続され、アンテナコイル１２の他端は、絶縁層２ｂの裏面を通してＩＣチップ１３の他端に接続され、絶縁層２ｂの表面上のＩＣチップ１３及びアンテナコイル１２は、絶縁フィルム２ａで覆われ、絶縁層２ｂの裏面上のアンテナコイル１１は、絶縁フィルム２ｃで覆われている。絶縁層２ｂ、絶縁フィルム２ａ，２ｃは、プラスチック又はポリエステル又はナイロン等からなる。
【００４４】
閉ループ回路２０は、銅又はアルミニウム等の線材（又はエッチングによるプリント回路でもよい。）からなり、アンテナコイル１２のターン数と略同ターン数の複数個の矩形状のコイル２１（２１ａ〜２１ｄ）を有し、各コイル２１（２１ａ〜２１ｄ）は、各情報記憶素子部１０（１０ａ〜１０ｄ）と１対１で対向して配置されている。
【００４５】
閉ループ回路２０の各コイル２１（２１ａ〜２１ｄ）は、絶縁層２ｄの表面に配置され、隣接する２つのコイルを絶縁層２ｄの裏面を通して接続する接続構成（２１ａ−２１ｂ間、２１ｃ−２１ｄ間のコイル２２による接続）と、隣接する２つのコイルを絶縁層２ｄの表面で接続する接続構成（２１ｂ−２１ｃ間、２１ｄ−２１ａ間の接続）とを有し、隣接する２つのコイル相互間が接続されて閉ループを構成している。絶縁層２ｄの表面上の各コイルは、絶縁フィルム２ｃで覆われ、絶縁層２ｄの裏面上の各コイル２２は、絶縁フィルム２ｅで覆われている。
【００４６】
次に、このように構成された実施例１の情報記憶素子部１０への情報の書き込み処理を説明する。図３は情報記憶素子部に対する情報の書き込み／読み出しを行なうリーダ／ライターを示す図である。
【００４７】
図３において、リーダ／ライター７は、交流電源Ｖａと、スイッチＳ１と、アンテナコイルＬと、このアンテナコイルＬに並列に接続された共振用コンデンサＣｒと、抵抗Ｒｉとで構成されている。情報記憶素子部１０は、アンテナコイル１２と、このアンテナコイル１２に並列に接続された共振用コンデンサＣ１と、整流用ダイオードＤ１と、平滑用コンデンサＣ２と、図示しないメモリを有するＩＣチップ１３とで構成されている。
【００４８】
リーダ／ライター７のアンテナコイルＬは、スイッチＳ１をオンすると、交流電源Ｖａからの電力を受けて、強い高周波（例えば１２５ｋＨｚ又は１３．５６ＭＨｚ）の電磁界を発生する。
【００４９】
リーダ／ライター７のアンテナコイルＬから放出された電磁波が情報記憶素子部１０ａのアンテナコイル１２を貫く。このため、情報記憶素子部１０ａのアンテナコイル１２には電磁誘導により電流が流れる。このとき、情報記憶素子部１０ａのアンテナコイル１２とコンデンサＣ１との並列共振回路は、リーダ／ライター７の送信周波数に共振するように調整されているので、並列共振回路の電圧は大きくなる。この電圧は、整流用ダイオードＤ１及び平滑用コンデンサＣ２で整流平滑されて、ＩＣチップ１３の電力として供給される。即ち、情報記憶素子部１０ａのＩＣチップ１３が動作して、情報記憶素子部１０ａのＩＣチップ１３内のメモリに、リーダ／ライター７から電磁波で送られてきた識別情報が書き込まれる。
【００５０】
また、リーダ／ライター７から発生された電磁波は、情報記憶素子部１０ａのアンテナコイル１２を貫くとともに、閉ループ回路２０のコイル２１ａを貫く。これにより、閉ループ回路２０にも電磁誘導により電流が流れ、情報記憶素子部１０ｂ，１０ｃ，１０ｄの下に位置する複数ターンを持つループ内のコイル２１ｂ，２１ｃ，２１ｄには磁束が発生する。この磁束により、情報記憶素子部１０ｂ，１０ｃ，１０ｄのアンテナコイル１２に電流が流れる。このため、情報記憶素子部１０ｂ，１０ｃ，１０ｄのチップＩＣ１３に電力が供給される。この電力により情報記憶素子部１０ｂ，１０ｃ，１０ｄのＩＣチップ１３の識別情報を書き換えることができる。即ち、１個の情報記憶素子部の識別情報を書き換えることにより、複数個の情報記憶素子部の識別情報を書き換えることができる。このため、個々の情報記憶素子部１０ａ〜１０ｄにアクセスする必要がなくなる。
【００５１】
また、絶縁フィルム２ａ，２ｃ，２ｅを設けたので、ＩＣチップ１３、アンテナコイル１１，１２、閉ループ回路２０の腐食を防ぐことができる。
【００５２】
また、書き換えだけでなく、１つの情報記憶素子部１０から全ての識別情報を得ることができるため、１つの情報記憶素子部１０にアクセスすることにより、人の出入りが困難な隠蔽場所に置かれた情報記憶素子部１０の識別情報を得ることができる。
【実施例２】
【００５３】
図４は複数個の情報記憶素子部と１個の閉ループ回路とが配置された実施例２のテープを示す図である。図４（ａ）は複数個配置された情報記憶素子部の上面図である。図４（ｂ）は１個配置された閉ループ回路の上面図である。図４（ｃ）はテープの断面図である。図５は実施例２の閉ループ回路の斜視図である。
【００５４】
図４に示すテープ１ａは、図１に示すテープ１に対して、閉ループ回路２０ａの構成が異なる。閉ループ回路２０ａの各コイル２１（２１ａ〜２１ｄ）は、絶縁層２ｆの表面に配置され、隣接する２つのコイルをコイル上に形成された絶縁フィルム２４上を通して接続する接続構成（２１ａ−２１ｂ間、２１ｃ−２１ｄ間のコイル２３による接続）と隣接する２つのコイルを絶縁層２ｆの表面上で接続する接続構成（２１ｂ−２１ｃ間、２１ｄ−２１ａ間の接続）とを有し、絶縁層２ｆの表面上の各コイル２１（２１ａ〜２１ｄ）は、絶縁フィルム２ｃで覆われている。絶縁層２ｆ、絶縁フィルム２４は、プラスチック又はポリエステル又はナイロン等からなる。
【００５５】
このように実施例２のテープ１ａによれば、実施例１のテープの効果と同様な効果が得られるとともに、絶縁層２ｆの表面上の各コイル２１（２１ａ〜２１ｄ）を絶縁フィルム２ｃで覆うのみで済むので、テープ１ａの厚みが薄くなるという利点がある。
【実施例３】
【００５６】
図６は複数個の情報記憶素子部と複数個の閉ループ回路とが配置された実施例３のテープを示す図である。図６（ａ）は複数個配置された情報記憶素子部の上面図である。図６（ｂ）は複数個配置された閉ループ回路の上面図である。図６（ｃ）はテープの断面図である。図７は実施例３の閉ループ回路の斜視図である。
【００５７】
図６に示すテープ１ｂは、図１に示すテープ１に対して、閉ループ回路として、アンテナコイル１２の所定ターン数と略同ターン数の複数個の矩形状の閉ループコイル２０ｂを設けた点が異なる。各閉ループコイル２０ｂは、隣接する２つの情報記憶素子部相互間（例えば情報記憶素子部１０ａと１０ｂ）を連結するように配置されている。
【００５８】
閉ループコイル２０ｂは、絶縁層２ｇの表面に配置され、閉ループコイル２０ｂの一端は、絶縁層２ｇの裏面を通して閉ループコイル２０ｂの他端に接続され、絶縁層２ｇの表面上の閉ループコイル２０ｂは、絶縁フィルム２ｃで覆われ、絶縁層２ｇの裏面上の閉ループコイル２６は、絶縁フィルム２ｅで覆われている。絶縁層２ｇは、プラスチック又はポリエステル又はナイロン等からなる。
【００５９】
このような実施例３のテープ１ｂによれば、リーダ／ライター７により情報記憶素子部１０ａに電力を供給して識別情報を書き換えると、隣接する２つの情報記憶素子部相互間を連結するように配置された各々の閉ループコイル２０ｂを介して電磁誘導により各情報記憶素子部１０ｂ，１０ｃ，１０ｄに電力を供給することができる。従って、１個の情報記憶素子部１０ａの識別情報を書き換えることにより、複数個の情報記憶素子部１０ｂ，１０ｃ，１０ｄの識別情報を書き換えることができる。また、絶縁フィルム２ｃ、２ｅにより閉ループコイル２０ｂの腐食を防止することができる。
【実施例４】
【００６０】
図８は複数個の情報記憶素子部と複数個の閉ループ回路とが配置された実施例４のテープを示す図である。図８（ａ）は複数個配置された情報記憶素子部の上面図である。図８（ｂ）は複数個配置された閉ループ回路の上面図である。図８（ｃ）はテープの断面図である。図９は実施例４の閉ループ回路の斜視図である。
【００６１】
図８に示すテープ１ｃは、図６に示すテープ１ｂに対して、閉ループ回路として、閉ループコイル２０ｃの構成が異なる。各閉ループコイル２０ｃは、絶縁層２ｈの表面に配置され、閉ループコイル２０ｃの一端は、閉ループコイル２０ｃ上に形成された絶縁フィルム２８上を通して閉ループコイル２０ｃの他端に接続され、絶縁層２ｈの表面上の閉ループコイル２０ｃは、絶縁フィルム２ｃで覆われている。絶縁層２ｈは、プラスチック又はポリエステル又はナイロン等からなる。
【００６２】
このように実施例４のテープ１ｃによれば、実施例１のテープの効果と同様な効果が得られるとともに、絶縁層２ｈの表面上の各コイル２０ｃを絶縁フィルム２ｃで覆うのみで済むので、テープ１ｃの厚みが薄くなるという利点がある。
【実施例５】
【００６３】
図１０は複数個の情報記憶素子部と１個の閉ループ回路とが配置された実施例５のテープを示す図である。図１０（ａ）は複数個配置された情報記憶素子部の上面図である。図１０（ｂ）は１個配置された閉ループ回路の上面図である。図１０（ｃ）はテープの断面図である。図１１は実施例５の閉ループ回路の斜視図である。
【００６４】
図１０に示すテープ１ｄは、図１に示すテープ１に対して、情報記憶素子部１０Ａ〜１０Ｄの構成が異なる。情報記憶素子部１０Ａ〜１０ＤのＩＣチップ１３及びアンテナコイル１２は、絶縁層２Ｂの表面に配置され、アンテナコイル１２の一端は、ＩＣチップ１３の一端に接続され、アンテナコイル１２の他端は、アンテナコイル１２上に形成された絶縁フィルム１５上を通してＩＣチップ１３の他端に接続され、絶縁層２Ｂの表面上のＩＣチップ１３及びアンテナコイル１２は、絶縁フィルム２ａで覆われている。絶縁層２Ｂ、絶縁フィルム１５は、プラスチック又はポリエステル又はナイロン等からなる。
【００６５】
このように実施例５のテープ１ｄによれば、実施例１の効果と同様な効果が得られる。また、絶縁フィルム２ａにより情報記憶素子部１０Ａ〜１０Ｄの腐食を防止することができ、また、テープ１ｄの厚みが薄くなるという利点がある。
【実施例６】
【００６６】
図１２は複数個の情報記憶素子部と１個の閉ループ回路とが配置された実施例６のテープを示す図である。図１２（ａ）は複数個配置された情報記憶素子部の上面図である。図１２（ｂ）は１個配置された閉ループ回路の上面図である。図１２（ｃ）はテープの断面図である。図１２に示すテープ１ｅは、図４に示すテープ１ａに対して、情報記憶素子部１０Ａ〜１０Ｄの構成が異なる。情報記憶素子部１０Ａ〜１０Ｄの構成は、図１０に示したものと同じである。
【００６７】
このように実施例６のテープ１ｅによれば、実施例１の効果と同様な効果が得られる。また、絶縁フィルム２ａにより情報記憶素子部１０Ａ〜１０Ｄの腐食を防止することができ、また、テープ１ｅの厚みがさらに薄くなるという利点がある。
【実施例７】
【００６８】
図１３は複数個の情報記憶素子部と複数個の閉ループ回路とが配置された実施例７のテープを示す図である。図１３（ａ）は複数個配置された情報記憶素子部の上面図である。図１３（ｂ）は複数個配置された閉ループ回路の上面図である。図１３（ｃ）はテープの断面図である。図１３に示すテープ１ｆは、図６に示すテープ１ｂに対して、情報記憶素子部１０Ａ〜１０Ｄの構成が異なる。
【００６９】
このように実施例７のテープ１ｆによれば、実施例１の効果と同様な効果が得られる。また、絶縁フィルム２ａにより情報記憶素子部１０Ａ〜１０Ｄの腐食を防止することができ、また、テープ１ｆの厚みがさらに薄くなるという利点がある。
【実施例８】
【００７０】
図１４は複数個の情報記憶素子部と複数個の閉ループ回路とが配置された実施例８のテープを示す図である。図１４（ａ）は複数個配置された情報記憶素子部の上面図である。図１４（ｂ）は複数個配置された閉ループ回路の上面図である。図１４（ｃ）はテープの断面図である。図１４に示すテープ１ｇは、図８に示すテープ１ｃに対して、情報記憶素子部１０Ａ〜１０Ｄの構成が異なる。
【００７１】
このように実施例８のテープ１ｇによれば、実施例１の効果と同様な効果が得られる。また、絶縁フィルム２ａにより情報記憶素子部１０Ａ〜１０Ｄの腐食を防止することができ、また、テープ１ｇの厚みがさらに薄くなるという利点がある。
【実施例９】
【００７２】
図１５は複数個の情報記憶素子部と複数個の第１閉ループ回路と１個の第２閉ループ回路とが配置された実施例９のテープを示す図である。図１５（ａ）は複数個配置された情報記憶素子部の上面図である。図１５（ｂ）は複数個配置された第１閉ループ回路の上面図である。図１５（ｃ）は１個配置された第２閉ループ回路の上面図である。図１５（ｄ）はテープの断面図である。
【００７３】
図１５に示すテープ１ｈは、図１に示すテープ１に対して、閉ループ回路の構成が異なる。閉ループ回路は、複数個の第１閉ループ回路２０と、この複数個の第１閉ループ回路２０と電気的に絶縁され、隣接する２つの第１閉ループ回路相互間を連結するように配置された１個の閉ループコイル２０ｂからなる第２閉ループ回路とを有している。各々の第１閉ループ回路２０は、アンテナコイル１２の所定ターン数と略同ターン数の２個の矩形状のコイル２１ａ，２１ｂ（及び２１ｃ，２１ｄ）を有し、各コイル２１ａ〜２１ｄは、各情報記憶素子部１０ａ〜１０ｄと１対１で対向して配置されている。各々の第２閉ループ回路として、アンテナコイル１２の所定ターン数と略同ターン数の矩形状の閉ループコイル２０ｂが設けられている。なお、情報記憶素子部１０を６個以上設けた場合には、第２閉ループコイル２０ｂを２個以上設ければよい。
【００７４】
複数個の第１閉ループ回路２０は、絶縁層２Ｄの表面に配置され、各々の閉ループ回路内の２つのコイルの一端同士は絶縁層２Ｄの表面を通して接続され、２つのコイルの他端同士は絶縁層２Ｄの裏面を通して接続されている。絶縁層２Ｄの表面上の各コイルは、絶縁フィルム２ｃで覆われ、絶縁層２Ｄの裏面上の各コイル２２は、絶縁フィルム２ｅで覆われている。
【００７５】
閉ループコイル２０ｂは、絶縁層２Ｇの表面に配置され、閉ループコイル２０ｂの一端は、絶縁層２Ｇの裏面を通して閉ループコイル２０ｂの他端に接続され、絶縁層２Ｇの表面上の閉ループコイル２０ｂは、絶縁フィルム２ｅで覆われ、絶縁層２Ｇの裏面上の閉ループコイル２６は、絶縁フィルム２ｉで覆われている。絶縁層２Ｄ、絶縁層２Ｇ、絶縁フィルム２ｉは、プラスチック又はポリエステル又はナイロン等からなる。
【００７６】
このような実施例９のテープ１ｈによれば、リーダ／ライター７により情報記憶素子部１０ａに電力を供給して識別情報を書き換えると、第１閉ループ回路２０と閉ループコイル２０ｂを介して電磁誘導により各情報記憶素子部１０ｂ，１０ｃ，１０ｄに電力を供給することができる。従って、１個の情報記憶素子部１０ａの識別情報を書き換えることにより、複数個の情報記憶素子部１０ｂ，１０ｃ，１０ｄの識別情報を書き換えることができる。
【００７７】
また、絶縁フィルム２ｃ、２ｅ、２ｉにより第１閉ループ回路２０及び閉ループコイル２０ｂの腐食を防止することができる。
【実施例１０】
【００７８】
図１６は複数個の情報記憶素子部と複数個の第１閉ループ回路と１個の第２閉ループ回路とが配置された実施例１０のテープを示す図である。図１６（ａ）は複数個配置された情報記憶素子部の上面図である。図１６（ｂ）は複数個配置された第１閉ループ回路の上面図である。図１６（ｃ）は１個配置された第２閉ループ回路の上面図である。図１６（ｄ）はテープの断面図である。
【００７９】
図１６に示すテープ１ｉは、図１５に示すテープ１ｈに対して、閉ループコイル２０ｃの構成が異なる。閉ループ回路２０ｃの構成は、図８に示すものと同じである。閉ループ回路２０ｃは、絶縁層２Ｈの表面に配置され、絶縁フィルム２ｅで覆われている。絶縁層２Ｈは、プラスチック又はポリエステル又はナイロン等からなる。
【００８０】
このように実施例１０のテープ１ｉによれば、実施例１のテープの効果と同様な効果が得られる。
【実施例１１】
【００８１】
図１７は複数個の情報記憶素子部と複数個の第１閉ループ回路と１個の第２閉ループ回路とが配置された実施例１１のテープを示す図である。図１７（ａ）は複数個配置された情報記憶素子部の上面図である。図１７（ｂ）は複数個配置された第１閉ループ回路の上面図である。図１７（ｃ）は１個配置された第２閉ループ回路の上面図である。図１７（ｄ）はテープの断面図である。図１７に示すテープ１ｊは、図１５に示すテープ１ｈに対して、第１閉ループ回路２０ａの構成が異なる。第１閉ループ回路２０ａの構成は、図４に示すものと同じである。第１閉ループ回路２０ａは、絶縁層２Ｆの表面に配置され、絶縁フィルム２ｃで覆われている。絶縁層２Ｆは、プラスチック又はポリエステル又はナイロン等からなる。
【００８２】
このように実施例１１のテープ１ｊによれば、実施例１のテープの効果と同様な効果が得られる。
【実施例１２】
【００８３】
図１８は複数個の情報記憶素子部と複数個の第１閉ループ回路と１個の第２閉ループ回路とが配置された実施例１２のテープを示す図である。図１８（ａ）は複数個配置された情報記憶素子部の上面図である。図１８（ｂ）は複数個配置された第１閉ループ回路の上面図である。図１８（ｃ）は１個配置された第２閉ループ回路の上面図である。図１８（ｄ）はテープの断面図である。図１８に示すテープ１ｋは、図１６に示すテープ１ｉに対して、図１７に示す第１閉ループ回路２０ａを用いたものである。
【００８４】
このように実施例１２のテープ１ｋによれば、実施例１のテープの効果と同様な効果が得られる。
【実施例１３】
【００８５】
図１９は複数個の情報記憶素子部と複数個の第１閉ループ回路と１個の第２閉ループ回路とが配置された実施例１３のテープを示す図である。図１９（ａ）は複数個配置された情報記憶素子部の上面図である。図１９（ｂ）は複数個配置された第１閉ループ回路の上面図である。図１９（ｃ）は１個配置された第２閉ループ回路の上面図である。図１９（ｄ）はテープの断面図である。図１９に示すテープ１ｍは、図１５に示すテープ１ｈに対して、図１０に示す情報記憶素子部１０Ａ〜１０Ｄを用いたものである。
【００８６】
このように実施例１３のテープ１ｍによれば、実施例１のテープの効果と同様な効果が得られる。
【実施例１４】
【００８７】
図２０は複数個の情報記憶素子部と複数個の第１閉ループ回路と１個の第２閉ループ回路とが配置された実施例１４のテープを示す図である。図２０（ａ）は複数個配置された情報記憶素子部の上面図である。図２０（ｂ）は複数個配置された第１閉ループ回路の上面図である。図２０（ｃ）は１個配置された第２閉ループ回路の上面図である。図２０（ｄ）はテープの断面図である。図２０に示すテープ１ｎは、図１６に示すテープ１ｉに対して、図１０に示す情報記憶素子部１０Ａ〜１０Ｄを用いたものである。
【００８８】
このように実施例１４のテープ１ｎによれば、実施例１のテープの効果と同様な効果が得られる。
【実施例１５】
【００８９】
図２１は複数個の情報記憶素子部と複数個の第１閉ループ回路と１個の第２閉ループ回路とが配置された実施例１５のテープを示す図である。図２１（ａ）は複数個配置された情報記憶素子部の上面図である。図２１（ｂ）は複数個配置された第１閉ループ回路の上面図である。図２１（ｃ）は１個配置された第２閉ループ回路の上面図である。図２１（ｄ）はテープの断面図である。図２１に示すテープ１ｎは、図１７に示すテープ１ｊに対して、図１０に示す情報記憶素子部１０Ａ〜１０Ｄを用いたものである。
【００９０】
このように実施例１５のテープ１ｐによれば、実施例１のテープの効果と同様な効果が得られる。
【実施例１６】
【００９１】
図２２は複数個の情報記憶素子部と複数個の第１閉ループ回路と１個の第２閉ループ回路とが配置された実施例１６のテープを示す図である。図２２（ａ）は複数個配置された情報記憶素子部の上面図である。図２２（ｂ）は複数個配置された第１閉ループ回路の上面図である。図２２（ｃ）は１個配置された第２閉ループ回路の上面図である。図２２（ｄ）はテープの断面図である。図２２に示すテープ１ｎは、図１８に示すテープ１ｋに対して、図１０に示す情報記憶素子部１０Ａ〜１０Ｄを用いたものである。
【００９２】
このように実施例１６のテープ１ｑによれば、実施例１のテープの効果と同様な効果が得られる。
【実施例１７】
【００９３】
図２３はテープを備えたケーブルの一例の構造を示す図である。図１（ａ）はケーブルの断面図、図１（ｂ）はケーブル内における情報記憶素子部を複数個配置したテープを示す斜視図である。テープ１としては、実施例１乃至実施例１６で説明したテープのいずれでもよい。
【００９４】
ケーブルは、図２３（ａ）に示すように、導体３１と、この導体３１上に配置されたポリエチレン等からなる絶縁体３２と、この絶縁体３２上に配置されたアルミテープやポリエチレン等からなるシース３３とを有し、絶縁体３２上で且つシース３３の内側にはテープ１が配置されている。このテープ１は、図２３（ｂ）に示すように、ケーブル長手方向に沿って配設されている。
【００９５】
このように構成されたケーブルによれば、テープ１がケーブル長手方向に沿って配設されているので、外部から非接触でリーダ／ライター７等で識別情報の書き込み／読み出しが容易に行なえる。
【００９６】
また、ケーブル内にテープ状の情報記憶素子部１０を挿入した場合、ケーブルが完全に断線すると、閉ループ回路２０も断線し、全ての識別情報を得ることができなくなる。このため、ケーブル断線の有無を１つの情報記憶素子部１０にアクセスすることにより判断することができる。
【００９７】
図２４はテープを備えたケーブルの他の一例の構造を示す図である。図２４（ａ）はケーブル内における情報記憶素子部を複数個配置した１本のテープの位置を示す断面図、図２４（ｂ）はケーブル内における情報記憶素子部を複数個配置した１本のテープを示す斜視図である。
【００９８】
図２４に示す例では、１本のテープ１Ａを絶縁体３２上に螺旋状に設けたことを特徴とする。１本のテープ１Ａには、略一定間隔毎に、情報記憶素子部１０（１０ａ〜１０ｄ）が設けられている。
【００９９】
このような構成のケーブルによれば、実施例１７の効果と同一の効果が得られるとともに、情報記憶素子部１０がケーブルの周方向に沿って略等間隔に配置されているので、リーダ／ライター７がケーブルの周方向のどの方向に配置されても、リーダ／ライター７に最も近い情報記憶素子部１０から情報を読み出し／書き込みすることができる。即ち、ケーブルの周方向のどの方向からでも情報を読み取り／書き込みすることができる。
【産業上の利用可能性】
【０１００】
本発明の情報記憶素子を備えたテープは、ケーブル、衣類、図書館の本等のあらゆる物品に適用可能である。
【図面の簡単な説明】
【０１０１】
【図１】複数個の情報記憶素子部と１個の閉ループ回路とが配置された実施例１のテープを示す図である。
【図２】実施例１の情報記憶素子部及び閉ループ回路の斜視図である。
【図３】情報記憶素子部に対する情報の書き込み／読み出しを行なうリーダ／ライターを示す図である。
【図４】複数個の情報記憶素子部と１個の閉ループ回路とが配置された実施例２のテープを示す図である。
【図５】実施例２の閉ループ回路の斜視図である。
【図６】複数個の情報記憶素子部と複数個の閉ループ回路とが配置された実施例３のテープを示す図である。
【図７】実施例３の閉ループ回路の斜視図である。
【図８】複数個の情報記憶素子部と複数個の閉ループ回路とが配置された実施例４のテープを示す図である。
【図９】実施例４の閉ループ回路の斜視図である。
【図１０】複数個の情報記憶素子部と１個の閉ループ回路とが配置された実施例５のテープを示す図である。
【図１１】実施例５の情報記憶素子部の斜視図である。
【図１２】複数個の情報記憶素子部と１個の閉ループ回路とが配置された実施例６のテープを示す図である。
【図１３】複数個の情報記憶素子部と複数個の閉ループ回路とが配置された実施例７のテープを示す図である。
【図１４】複数個の情報記憶素子部と複数個の閉ループ回路とが配置された実施例８のテープを示す図である。
【図１５】複数個の情報記憶素子部と複数個の第１閉ループ回路と１個の第２閉ループ回路とが配置された実施例９のテープを示す図である。
【図１６】複数個の情報記憶素子部と複数個の第１閉ループ回路と１個の第２閉ループ回路とが配置された実施例１０のテープを示す図である。
【図１７】複数個の情報記憶素子部と複数個の第１閉ループ回路と１個の第２閉ループ回路とが配置された実施例１１のテープを示す図である。
【図１８】複数個の情報記憶素子部と複数個の第１閉ループ回路と１個の第２閉ループ回路とが配置された実施例１２のテープを示す図である。
【図１９】複数個の情報記憶素子部と複数個の第１閉ループ回路と１個の第２閉ループ回路とが配置された実施例１３のテープを示す図である。
【図２０】複数個の情報記憶素子部と複数個の第１閉ループ回路と１個の第２閉ループ回路とが配置された実施例１４のテープを示す図である。
【図２１】複数個の情報記憶素子部と複数個の第１閉ループ回路と１個の第２閉ループ回路とが配置された実施例１５のテープを示す図である。
【図２２】複数個の情報記憶素子部と複数個の第１閉ループ回路と１個の第２閉ループ回路とが配置された実施例１６のテープを示す図である。
【図２３】テープを備えたケーブルの一例の構造を示す図である。
【図２４】テープを備えたケーブルの他の一例の構造を示す図である。
【符号の説明】
【０１０２】
１〜１ｑ，１Ａ  テープ
２ａ，２ｃ，２ｅ，２４，２８  絶縁フィルム  
２ｂ，２ｄ，２ｆ，２ｇ，２Ｂ  絶縁層
７  リーダ／ライター
１０，１０ａ〜１０ｄ，１０Ａ〜１０Ｄ  情報記憶素子部
１２  アンテナコイル
１３  ＩＣチップ
２０，２０ａ，２０ｃ  閉ループ回路
２０ｂ  閉ループコイル
２１ａ〜２１ｄ  コイル
３１  導体
３２  絶縁体
３３  シース
【図１】
2006065473.tif 000003
【図２】
2006065473.tif 000004
【図３】
2006065473.tif 000005
【図４】
2006065473.tif 000006
【図５】
2006065473.tif 000007
【図６】
2006065473.tif 000008
【図７】
2006065473.tif 000009
【図８】
2006065473.tif 000010
【図９】
2006065473.tif 000011
【図１０】
2006065473.tif 000012
【図１１】
2006065473.tif 000013
【図１２】
2006065473.tif 000014
【図１３】
2006065473.tif 000015
【図１４】
2006065473.tif 000016
【図１５】
2006065473.tif 000017
【図１６】
2006065473.tif 000018
【図１７】
2006065473.tif 000019
【図１８】
2006065473.tif 000020
【図１９】
2006065473.tif 000021
【図２０】
2006065473.tif 000022
【図２１】
2006065473.tif 000023
【図２２】
2006065473.tif 000024
【図２３】
2006065473.tif 000025
【図２４】
2006065473.tif 000026